(57)【特許請求の範囲】
【請求項１】
支持電極と、
前記支持電極の上に載せられて電磁力により回転する回転子と、
前記支持電極より下に配置され、前記支持電極に対して電位差を有しており、前記回転子と接触し、かつ、前記回転子を回転させるための磁場を前記回転子の内外に生成する電極兼用磁石とを備えるモータであって、
前記回転子は、
前記支持電極に載せられる球面部と、
前記支持電極よりも下に配置され、前記電極兼用磁石と接触する非磁性体製の接触部と、
前記球面部と前記接触部との間を流れる電流の通路となる電流通路部と、
前記回転の際に前記接触部が持ち上がった後に前記接触部が再度下がるよう前記回転子の重心を設定するおもり部とを有し、
前記支持電極は、前記回転子の球面部を可動状態で支持する球面支持部を有しており、
前記回転子の重心位置は、前記回転子の回転中にはその回転軸よりも前記接触部寄りにあり、かつ、前記球面部を前記球面支持部に支持させて前記接触部を前記電極兼用磁石に接触させた瞬間には前記球面支持部の真上にあることを特徴とする、モータ。
【請求項２】
前記球面支持部は、前記球面部が嵌るくぼみ部を有していることを特徴とする、請求項１に記載のモータ。
【請求項３】
前記回転子が、前記非磁性体導体製の断面円形の線材によって形成されており、
前記球面部が、前記線材を折曲げた線材折曲げ部分によって形成されており、
前記電流通路部が、前記線材のうち前記線材折曲げ部分に連なる部分であり、
前記接触部が、前記線材のうち前記電流通路部に連なる部分であり、
前記おもり部が、前記線材のうち前記接触部に連なる部分であることを特徴とする、請求項１に記載のモータ。
【請求項４】
磁場の中で支持電極の上に載せられた状態で電極兼用磁石と接触することで電流が流れ、その電流によって生じた電磁力により回転するモータの回転子であって、
前記回転子は、
前記支持電極に載せられる球面部と、
前記支持電極よりも下に配置され、前記電極兼用磁石と接触する非磁性体製の接触部と、
前記球面部と前記接触部との間を流れる電流の通路となる電流通路部と、
前記回転の際に前記接触部が持ち上がった後に前記接触部が再度下がるよう前記回転子の重心を設定するおもり部とを有し、
前記球面部は、前記支持電極が有する球面支持部により、可動状態で支持されており、
前記回転子の重心位置は、前記回転子の回転中にはその回転軸よりも前記接触部寄りにあり、かつ、前記球面部を前記球面支持部に支持させて前記接触部を前記電極兼用磁石に接触させた瞬間には前記球面支持部の真上にあることを特徴とする、モータの回転子。
【請求項５】
支持電極と、
非磁性体導体製の断面円形の線材と、
導体である磁石と、
モータが備える回転子を前記線材によって形成するための形成方法を記録している情報記録媒体とを備える、モータ製作キットであって、
前記モータは、
前記支持電極と、
前記支持電極の上に載せられて電磁力により回転する前記回転子と、
前記支持電極より下に配置され、前記支持電極に対して電位差を有しており、前記回転子と接触し、かつ、前記回転子を回転させるための磁場を前記回転子の内外に生成する前記磁石とを備えており、
前記回転子は、
前記支持電極に載せられる球面部と、
前記支持電極よりも下に配置され、前記磁石と接触する接触部と、
前記球面部と前記接触部との間を流れる電流の通路となる電流通路部と、
前記回転の際に前記接触部が持ち上がった後に前記接触部が再度下がるよう前記回転子の重心を設定するおもり部とを有しており、
前記支持電極は、前記回転子の球面部を可動状態で支持する球面支持部を有しており、
前記形成方法は、
前記球面部を形成する球面部形成工程と、
前記接触部を前記線材から形成する接触部形成工程と、
前記電流通路部を前記線材から形成する通路部形成工程と、
前記おもり部を前記線材から形成するおもり部形成工程と、
前記回転子の重心を設定する重心設定工程とを備えており、
前記重心設定工程は、
前記電流通路部、前記接触部、および、前記おもり部の中のいずれかの点である重心調整支点を支え、その重心調整支点から糸を吊り下げる吊下げ工程と、
前記糸が、前記球面部のうち、前記球面部の中心から前記球面部の先端までの間の部分に接触するよう、前記電流通路部、前記接触部、および、前記おもり部のいずれかを変形する変形工程とを有していることを特徴とする、モータ製作キット。
【発明の詳細な説明】
【技術分野】
【０００１】
本発明は、モータ、モータの回転子、モータ製作キットに関し、特に、揺動しながら回転するモータ、モータの回転子、モータ製作キットに関する。
【背景技術】
【０００２】
シンプルモータと言われているモータが存在する。この種のモータは、容易に製作することができ、かつ、子供の関心を引くことができるので、理科の教材として広く用いられている。
【０００３】
特許文献１は、シンプルモータの一例を開示する。このシンプルモータは、回転可能な断面円形状の導電性磁石と、直流電源と、その直流電源の直流電流を導電性磁石に導く電流供給路とを備えている。このシンプルモータにおいて、導電性磁石近傍の電流供給路部分は、導電性磁石の磁気モーメントに対し垂直な方向から直流電流を導電性磁石に導入又は導出する。
【０００４】
非特許文献１は、実際の理科の実験で使用されたシンプルモータを開示する。このシンプルモータは、磁石の上に乗った乾電池に、銅製の輪を乗せたものである。この輪には針が取り付けられている。この針が支点の役目をする。非特許文献２ないし４は、製作されたシンプルモータが実際に回転している状況を示す。
【先行技術文献】
【特許文献】
【０００５】
【特許文献１】特開２００１−１８９２１３号公報
【非特許文献】
【０００６】
【非特許文献１】川田秀雄、"いろいろなモーターの秘密をさぐる"、[Online]、［平成２１年６月１８日検索］、インターネット、<URL:http://www.ncsm.city.nagoya.jp/asw/motor2/index.htm>
【非特許文献２】"シンプルモーター"、[Online]、［平成２１年６月１８日検索］、インターネット、<URL:http://blogs.yahoo.co.jp/yayayayaya23xx/>
【非特許文献３】"日々の戯れ"、[Online]、［平成２１年６月１８日検索］、インターネット、<URL:http://suzukiq.blog.ocn.ne.jp/index/2008/01/post_c51f.html>
【非特許文献４】"Simple motor"、[Online]、［平成２１年６月１８日検索］、インターネット、<URL:http://www.youtube.com/watch?v=IQS1ZE0TVeo&NR=1>
【発明の概要】
【発明が解決しようとする課題】
【０００７】
しかしながら、特許文献１と、非特許文献１ないし４に開示されたシンプルモータとには、子供向けの理科の教材として好ましくない特性があるという問題点がある。その好ましくない特性とは、回転子が高温になりやすいという特性（シンプルモータに触れた子供が火傷をし得る）と、すぐに回転が止まってしまうという特性（すぐに回転が止まると子供の興味が持続しない）とである。回転子が高温になったり回転がすぐに止まったりするのは、その中を電流が流れることが事実上短絡にあたるためである。回転子の抵抗を大きくすればこれらの問題は抑えられるが、この場合には回転が開始されにくくなる。回転子の抵抗を大きくすればそこに流れる電流は減少する。回転子を駆動する電磁力が電流の大きさに対応する。これらのことから、回転子の抵抗を大きくすると電磁力が小さくなるためである。
【０００８】
本発明は、このような問題を解消するためになされたものであり、その目的とするところは、回転を容易に開始でき、回転子の温度上昇を抑制でき、かつ、回転子が回転し続ける時間を長くできる、モータ、モータの回転子、モータ製作キットを提供することにある。
【課題を解決するための手段】
【０００９】
図面を参照して本発明のモータ、モータの回転子、モータ製作キットを説明する。なお、この欄で図中の符号を使用したのは、発明の内容の理解を助けるためであって、内容を図示した範囲に限定する意図ではない。
【００１０】
上記課題を解決するために、本発明のある局面に従うと、モータ１０は、回転子３０と、支持電極４０と、電極兼用磁石５２とを備える。回転子３０は、支持電極４０の上に載せられて電磁力により回転する。電極兼用磁石５２は、支持電極４０よりも下に配置され、支持電極４０に対して電位差を有しており、回転子３０と接触し、かつ、回転子３０を回転させるための磁場を回転子３０の内外に生成する。回転子３０は、球面部３１と、電流通路部３７と、非磁性体製の接触部３８と、おもり部３９とを有する。球面部３１は、支持電極４０に載せられる。接触部３８は、支持電極４０よりも下に配置され、電極兼用磁石５２と接触する。電流通路部３７は、球面部３１と接触部３８との間を流れる電流の通路となる。おもり部３９は、回転の際に接触部３８が持ち上がった後に接触部３８が再度下がるよう回転子３０の重心を設定する。支持電極４０は、球面支持部４４を有する。球面支持部４４は、回転子３０の球面部３１を可動状態で支持する。回転子３０の重心位置は、回転子３０の回転中にはその回転軸よりも接触部３８寄りにあり、かつ、球面部３１を球面支持部４４に支持させて接触部３８を電極兼用磁石５２に接触させた瞬間には球面支持部４４の真上にある。
【００１１】
回転子３０の接触部３８が電極兼用磁石５２に接触したとき、回転子３０の電流通路部３７を介して、支持電極４０から電極兼用磁石５２へ電流が流れる。一方、電極兼用磁石５２により、電流通路部３７の周りには磁場が形成されている。これにより、フレミング左手の法則に従い、電流通路部３７に十分な電磁力がかかることとなる。電流通路部３７に電磁力がかかるので、回転子３０が回転し始める。回転子３０が回転し始めると、遠心力が生じて接触部３８が持ち上がる。その結果、接触部３８が電極兼用磁石５２から離れ、電流通路部３７に電流が流れなくなる。接触部３８が持ち上がりながら回転をしているときの回転子３０の支点（回転時支点３５）は、接触部３８が持ち上がるにつれて滑らかに変化していく。回転子３０の重心位置が、回転子３０の回転中にはその回転軸よりも接触部３８寄りにあるので、回転の際に接触部３８が持ち上がっても接触部３８が再度下がる。ただし、回転子３０の重心位置が、球面部３１を球面支持部４４に支持させて接触部３８を電極兼用磁石５２に接触させた瞬間には球面支持部４４の真上にあるので、球面部３１を球面支持部４４に支持させて接触部３８を電極兼用磁石５２に接触させた瞬間に球面支持部４４の外にある場合に比べると、接触部３８を再度下がらせるモーメント（復元力）は弱い。そのため、接触部３８が持ち上がってから再度下がるまでの時間は長い。その間、接触部３８が上下しながら回転子３０全体が回転するという独特の動きが実現される。接触部３８が再び下がった結果、磁石５２に接触すると、回転子３０に電流が流れ、上述した理由により接触部３８は再び持ち上がる。接触部３８が再び下がるまで、回転子３０には電流が流れない。電流が流れないので、回転子３０が持ち上がって回転している間は電力を消費しない。回転子３０の電流通路部３７で電力が熱エネルギーに変換されることもない。回転子３０の抵抗を大きくしなくてよいので、その回転を容易に開始させることができる。その結果、回転を容易に開始でき、回転子３０の温度上昇を抑制でき、かつ、回転子３０が回転し続ける時間を長くできる。
【００１２】
また、上述した球面支持部４４が、球面部３１が嵌るくぼみ部４４を有していることが望ましい。
【００１３】
球面部３１が球面支持部４４のくぼみ部４４に嵌るので、球面部３１が支持電極４０から落ちることは防止される。それが防止されるので、回転子３０は、支持電極４０から落ちることもなく、接触部３８が上下しながら回転子３０全体が回転するという独特の動きが長期にわたり維持される。
【００１４】
また、上述した回転子３０が、非磁性体導体製の断面円形の線材によって形成されていることが望ましい。この場合、球面部３１が、線材を折曲げた線材折曲げ部分１１０によって形成されている。電流通路部３７が、線材のうち線材折曲げ部分１１０に連なる部分である。接触部３８が、線材のうち電流通路部３７に連なる部分である。おもり部３９が、線材のうち接触部３８に連なる部分である。
【００１５】
次に述べる６つの要件をすべて満たすとき、回転子３０の重心位置と回転時支点３５とのずれは回転子３０の差し渡しに比べごくわずかとなる。その第１の要件は、回転子３０の重心位置が回転子３０の回転中にはその回転軸よりも接触部３８寄りにあるという要件である。第２の要件は、回転子３０の重心位置が球面部３１を球面支持部４４に支持させて接触部３８を電極兼用磁石５２に接触させた瞬間には球面支持部４４の真上にあるという要件である。第３の要件は、球面部３１が線材折曲げ部分１１０によって形成されるという要件である。第４の要件は、電流通路部３７が線材のうち線材折曲げ部分１１０に連なる部分であるという要件である。第５の要件は、接触部３８が線材のうち電流通路部３７に連なる部分であるという要件である。第６の要件は、おもり部３９が線材のうち接触部３８に連なる部分であるという要件である。回転子３０の重心位置と回転時支点３５とのずれが回転子３０の差し渡しに比べごくわずかとなるとき、回転時支点３５に対する重力のモーメント（復元力）もごくわずかとなる。モーメントがごくわずかになると、回転子３０が回転することによって生じる遠心力がそれほど大きくなくても、接触部３８は浮いたまま回転し続けることになり、接触部３８が再び下がるまでにかなりの時間を要する。その間、接触部３８がゆっくりと上下しながら回転子３０全体が回転するという独特の動きが実現される。また、接触部３８が再び下がるまでのかなりの時間、回転子３０には電流が流れない。その分、電力を消費しないし、電力が熱エネルギーに変換されることもない。その結果、回転を容易に開始でき、回転子３０の温度上昇を大幅抑制でき、かつ、回転子３０が回転し続ける時間を大幅に長くできる。
【００１６】
本発明の他の局面に従うと、モータ１０の回転子３０は、磁場の中で支持電極４０の上に載せられた状態で電極兼用磁石５２と接触することで電流が流れ、その電流によって生じた電磁力により回転するモータの回転子である。回転子３０は、支持電極４０に載せられる球面部３１と、非磁性体の接触部３８と、電流通路部３７と、おもり部３９とを有する。接触部３８は、支持電極よりも下に配置され、電極兼用磁石５２と接触する。電流通路部３７は、球面部３１と接触部３８との間を流れる電流の通路となる。おもり部３９は、回転の際に接触部３８が持ち上がった後に接触部３８が再度下がるよう回転子３０の重心を設定する。球面部３１は、支持電極４０が有する球面支持部４４により、可動状態で支持されている。回転子３０の重心位置は、回転子３０の回転中にはその回転軸よりも接触部３８寄りにあり、かつ、球面部３１を球面支持部４４に支持させて接触部３８を電極兼用磁石に接触させた瞬間には球面支持部４４の真上にある。
【００１７】
本発明の他の局面に従うと、モータ製作キットは、支持電極４０と、非磁性体導体製の断面円形の線材と、導体である磁石５２と、情報記録媒体２０とを備える。情報記録媒体２０が、モータ１０が備える回転子３０を線材によって形成するための形成方法を記録している。モータ１０が、支持電極４０と、回転子３０と、磁石５２とを備えている。回転子３０は、支持電極４０の上に載せられて電磁力により回転する。磁石５２は、支持電極４０より下に配置され、支持電極４０に対して電位差を有しており、回転子３０と接触し、かつ、回転子３０を回転させるための磁場を回転子３０の内外に生成する。回転子３０は、球面部３１と、電流通路部３７と、接触部３８と、おもり部３９とを有する。球面部３１は、支持電極４０に載せられる。接触部３８は、支持電極４０よりも下に配置され、磁石５２と接触する。電流通路部３７は、球面部３１と接触部３８との間を流れる電流の通路となる。おもり部３９は、回転の際に接触部３８が持ち上がった後に接触部３８が再度下がるよう回転子３０の重心を設定する。支持電極４０は、球面支持部４４を有する。球面支持部４４は、回転子３０の球面部３１を可動状態で支持する。形成方法は、球面部形成工程と、接触部形成工程と、通路部形成工程と、おもり部形成工程と、重心設定工程とを備えている。球面部形成工程は、球面部３１を形成する工程である。接触部形成工程は、接触部３８を線材から形成する工程である。通路部形成工程は、電流通路部３７を線材から形成する工程である。おもり部形成工程は、おもり部３９を線材から形成する工程である。重心設定工程は、回転子３０の重心を設定する工程である。重心設定工程は、吊下げ工程と、変形工程とを有している。吊下げ工程は、電流通路部３７、接触部３８、および、おもり部３９の中のいずれかの点である重心調整支点を支え、その重心調整支点から糸７６を吊り下げる工程である。変形工程は、糸７６が、球面部３１のうち、球面部３１の中心から球面部３１の先端までの間の部分に接触するよう、電流通路部３７、接触部３８、および、おもり部３９のいずれかを変形する工程である。
【発明の効果】
【００１８】
以上のように、本発明にかかるモータ、モータの回転子、モータ製作キットによれば、回転を容易に開始でき、回転子の温度上昇を抑制でき、かつ、回転子が回転し続ける時間を長くできる。
【図面の簡単な説明】
【００１９】
【図１】本発明の実施形態にかかるシンプルモータの外観図である。
【図２】本発明の実施形態にかかる回転子の球面部分の拡大図である。
【図３】本発明の実施形態にかかる正極およびキャップの断面図である。
【図４】本発明の実施形態にかかる説明書を示す概念図である。
【図５】本発明の実施形態にかかる重心位置の測定方法を示す概念図である。
【図６】本発明の第１の変形例および第２の変形例にかかる回転子の外観図である。
【発明を実施するための形態】
【００２０】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２１】
図１を参照しつつ、本実施形態にかかるシンプルモータ１０の構造について説明する。本実施形態にかかるシンプルモータ１０は、回転子３０と、支持電極４０と、電極兼用磁石５２（図１において、上側がＮ極、下側がＳ極）とを備える。回転子３０は、電磁力を受けて回転する。回転子３０は、非磁性体である導体（常磁性体や反磁性体のこと。本実施形態について具体的に述べると銅。銅を用いる代わりにステンレスやアルミニウムを用いてもよい。）によって形成されている。支持電極４０は、回転子３０を支える。支持電極４０は、周知の乾電池６０の正極６２に接続されている。支持電極４０には、回転子３０の球面部３１が嵌るくぼみ部４４がある。支持電極４０から回転子３０に電流が流れる。電極兼用磁石５２は、回転子３０と接触する。回転子３０を流れた電流は、乾電池６０の負極６４に流れ込む。電極兼用磁石５２は、回転子３０の周りに磁場を形成する。本実施形態において、磁力線は、磁石５２の上面から、その側面を通って、磁石５２の底面へ向かう。図１に示す状況の場合、その磁力線は、図１の白抜き矢印で示すように、後述する電流通路部３７の右から左へ向かっていることとなり、電流通路部３７を流れる電流と直交するので、電磁力を生じる。その結果、電流通路部３７は動き始め、回転子３０全体が回転する。電極兼用磁石５２は、なるべく強力な磁場を形成できるものであることが好ましい。本実施形態にかかるシンプルモータ１０に使用できる電極兼用磁石５２の例として表面にニッケルメッキを施したネオジウム磁石がある。なお、本実施形態にかかる電極兼用磁石５２は、周知のネオジウム磁石である。したがって、ここではその詳細な説明は繰り返さない。
【００２２】
回転子３０は、球面部３１と、電流通路部３７と、接触部３８と、おもり部３９とを有する。球面部３１は支持電極４０に載せられる。電流通路部３７は球面部３１と接触部３８との間を通る電流の通路となる。接触部３８は電極兼用磁石５２と接触する。本実施形態におけるおもり部３９は、接触部３８に連なっている。おもり部３９は、回転子３０の重心３６を、次に述べる領域内に設定するためのものである。その領域とは、回転子３０の回転中にはその回転軸よりも接触部３８寄りで、球面部３１をくぼみ部４４に支持させて接触部３８を電極兼用磁石５２に接触させた瞬間にはくぼみ部４４の真上となる領域のことである。その領域は、図２に示す軸部領域９０であることが望ましい。本実施形態にかかる軸部領域９０は、球の中心３２と接触時支点３４（球面部３１を後述するくぼみ部４４に支持させて接触部３８を電極兼用磁石５２に接触させた瞬間における回転子３０の支点。）を結ぶ軸の周りであって、球の中心３２から接触時支点３４までの領域である。本実施形態における回転子３０の重心３６は、図３に示す位置に設定される。なお、本実施形態においては、球面部３１と、電流通路部３７と、接触部３８と、おもり部３９とは、１本の銅線（銅線を用いる代わりにステンレス線やアルミニウム線その他の非磁性体である導体を素材とする線材を用いてもよい。以下同様である。銅線を用いる場合、その直径は限定されないが、直径１〜３ｍｍであることが望ましい。）によって形成されている。
【００２３】
図３を参照しつつ、支持電極４０について説明する。本実施形態における支持電極４０は、強磁性導電体を素材とし（導電体であればよいことは言うまでもない）、乾電池６０の正極６２にかぶせられるキャップ状部材である。支持電極４０は、円筒部４６と、くぼみ部４４とを有する。円筒部４６の中に正極６２が挿入されることで、支持電極４０は正極６２に固定される。すなわち、くぼみ部４４は、本実施形態にかかる球面支持部である。くぼみ部４４は、回転子３０の球面部３１が嵌る部分である。これにより、回転子３０の球面部３１が可動状態で支持されることとなる。円筒部４６と、くぼみ部４４とは、一体となるよう形成されている。なお、円筒部４６の内径が、図３に示されるような正極６２のみを覆う大きさでなく、その下の筐体６６も一緒に覆える大きさでもよいことは言うまでもない。このように円筒部４６の内径が大きいと、乾電池６０の負極６４を筐体６６ごと支持電極４０で覆い、正極６２を電極兼用磁石５２の上に載せる（すなわち乾電池６０の上下を図１とは逆にする）ことが可能となる。
【００２４】
本実施形態にかかるシンプルモータ１０は、周知の銅線（その断面は円形である。なお、本実施形態にいう「円形」は、真円形だけではなく、楕円形も包含する。）と、上述した電極兼用磁石５２と、周知の乾電池６０と、図１および図３に示す支持電極４０と、図４に示す説明書２０とを備えるモータ製作キットとして販売される。図４に示す説明書２０は、本実施形態にかかるシンプルモータ１０の製造方法および起動方法を示す情報記録媒体と言える。図４に示す説明書２０は、特に、回転子３０の形成方法を詳細に説明するものである。以下に、説明書２０に記載される回転子３０の形成方法について説明する。
【００２５】
まず、作業者は、上述した銅線を作業者の手で軽く折曲げ、その折曲げられた部分を図示しないラジオベンチで強くはさむことにより、図２に示すように線材折曲げ部分１１０を形成する。これが本実施形態にかかる球面部３１である。このような球面部形成工程において形成される球面部３１すなわち線材折曲げ部分１１０は、楕円体に近い半球となる。
【００２６】
球面部３１が形成されると、作業者は、電流通路部３７と、接触部３８と、おもり部３９とを形成する。これらは、上述した銅線を図１に示すような一部が切れたハート型に折り曲げることで形成される。
【００２７】
電流通路部３７と、接触部３８と、おもり部３９とが形成されると、作業者は、回転子３０の重心位置を設定する。この工程が本実施形態における重心設定工程である。重心位置の設定は、支持工程と、吊下げ工程と、変形工程とを繰り返すことにより実現される。図５は、回転子３０の重心位置の測定方法を示す概念図である。
【００２８】
支持工程と吊り下げ工程とには、図５に示す支持・吊り下げ装置７０を使う。支持・吊り下げ装置７０は、支持台７２と、支持台７２に固定されているフック７４と、フック７４から吊り下がっている糸７６と、糸７６の先に結びつけられたナット７８（ある程度重いものは、ナット７８の代わりに用いることができる）とからなる。支持工程は、支持台７２の頂部のくぼみ１７２に球面部３１を嵌め、回転子３０が「やじろべえ」のように静止することを確認する工程である。吊り下げ工程は、フック７４に、回転子３０の電流通路部３７の中央部分（電流通路部３７、接触部３８、および、おもり部３９の中のいずれかの部分であればその他の部分であってもよいことは言うまでもない。）を引っ掛け、糸７６が、球面部３１のうち、球面部３１の中心から球面部３１の先端までの間の部分に接触することを確認する工程である。変形工程は、前述の支持工程と吊り下げ工程が完了するように、電流通路部３７と接触部３８とおもり部３９を変形させる工程である。支持工程と吊り下げ工程と変形工程を繰り返しおこなうことによって、回転子３０の重心３６は、上述した軸部領域９０内に設定される。
【００２９】
なお、回転子３０が完成すると、作業者は、電極兼用磁石５２を上面がＮ極となるように置き、その上に乾電池６０を正極６２が上になるようにして載せる。乾電池６０が載ると、作業者は、乾電池６０の正極６２に支持電極４０をかぶせる。正極６２に支持電極４０がかぶせられると、作業者は、支持電極４０のくぼみ部４４に回転子３０の球面部３１を載せる。このときの衝撃で、回転子３０が自動的に回転し始めることが多いが、回転子３０が自動的に回転しなければ、作業者は、回転子３０を少し揺らして、電極兼用磁石５２に接触させる。これにより、回転子３０は自動的に回転し始める。
【００３０】
回転子３０が回転し始めると、回転子３０に遠心力が生じ、接触部３８が持ち上がる。これにより、回転子３０の傾きは水平に近くなる。回転子３０を構成する銅線の太さや乾電池６０の能力、また電極兼用磁石５２の強さにもよるが、通常、回転子３０の動く速度は低めである。接触部３８が持ち上がると、回転子３０の回転速度は少し下がるが、しばらくの間、接触部３８が上下しながら、回転子３０は水平に近い傾きで回転する。やがて、回転子３０の回転が遅くなると、接触部３８が下へ下がる。その結果、接触部３８が電極兼用磁石５２に接触すると、接触部３８は、回転しながら再び持ち上がる。これらの動作を繰り返すことにより、回転子３０は、ゆっくりと上下に揺れながら回転し続ける。
【００３１】
図１を参照しつつ、本実施形態にかかるシンプルモータ１０の動作原理を説明する。回転子３０の接触部３８が電極兼用磁石５２（上面がＮ極、底面がＳ極）に接触したとき、回転子３０を介して、支持電極４０から電極兼用磁石５２へ電流が流れる。その結果、図１に示す状況の電流通路部３７には、図１の上から下へ電流が流れることとなる。一方、電極兼用磁石５２により、回転子３０の周りには磁場が形成されている。上述したように、図１に示す状況において、電流通路部３７付近を通る磁力線は、図１の右から左へ向かっている。その結果、電流通路部３７を流れる電流と磁力線の向きとが直交するので、フレミング左手の法則に従い、電流通路部３７に電磁力が生じることとなる。この電磁力が、回転子３０全体を回転させる。回転子３０が回転を開始すると、回転子３０に遠心力が発生し、接触部３８が持ち上げられる。その結果、接触部３８が導電性の電極兼用磁石５２から離れ、回転子３０に電流が流れなくなる。電流が流れないので、乾電池６０の電力は消費されない。回転子３０の電流通路部３７で熱エネルギーに変換される電力はゼロである。接触部３８が再び下がった結果、電極兼用磁石５２に接触すると、回転子３０に電流が流れ、上述した理由により接触部３８は再び持ち上げられる。
【００３２】
以上のようにして、本実施形態にかかるシンプルモータ１０は、回転子３０が回転している期間の大部分において電力を消費しない。電力を消費しないので、回転子３０が発熱することも、乾電池６０の電力が早々に消費されてしまい回転が止まってしまうこともない。回転子３０が回転を回転する際には十分な電磁力を受ける。その結果、回転子３０の回転を容易に開始でき、回転子３０の温度上昇を抑制でき、かつ、回転子３０が回転し続ける時間を長くできるモータ、そのモータの回転子、そのモータの製作キット、および、モータ製作キットを提供できる。
【００３３】
今回開示された実施形態はすべての点で例示である。本発明の範囲は上述した実施形態に基づいて制限されるものではなく、本発明の趣旨を逸脱しない範囲で種々の設計変更をしてもよいのはもちろんである。
【００３４】
例えば、回転子の具体的な形態は上述したものに限定されない。図６（Ａ）は、本発明の第１の変形例にかかる回転子１３０の構成を示す図である。本変形例にかかる回転子１３０は、支点球１３１と、電流通路部１３７と、接触部１３８と、おもり部１３９とを有する。本変形例において、電流通路部１３７の先端は、支点球１３１が有する穴に挿し込まれる。本変形例にかかる支点球１３１は、銅製である。また、本変形例にかかるおもり部１３９は、接触部１３８にのみ接続されている。その他の点（特に重心位置の要件）は、図１ないし図３に示した回転子３０と同様である。図６（Ｂ）は、本発明の第２の変形例にかかる回転子２３０の構成を示す図である。本変形例にかかる回転子２３０は、支点部２３１と、電流通路部２３７と、接触部２３８と、おもり部２３９とを有する。本変形例において、電流通路部２３７と、接触部２３８と、おもり部２３９とは、１本の銅線を丸く曲げたものである。本変形例にかかる支点部２３１は、銅製のパイプとその中央に溶接された銅製の棒とその棒の先端に溶接された銅製の球とによって形成されている。電流通路部２３７の先端と、おもり部２３９の先端とが、そのパイプの両端に挿し込まれる。なお、本変形例において、電流通路部２３７はおもり部２３９の役割も果たすし、おもり部２３９は電流通路部２３７の役割も果たす。その他の点（特に重心位置の要件）は、図１ないし図３に示した回転子３０と同様である。
【００３５】
また、回転子の外観は、上述したようなハート型に限定されない。たとえば、回転子の外観は、四角形その他の多角形であってもよい。ちなみに、回転子に外接する四角形が正方形に近いほどその回転子の回転速度が緩やかになる傾向がみられる。
【００３６】
また、回転子を形成するための部材は銅線その他の線材に限定されない。たとえば、回転子を形成するための部材は板材であってもよい。この場合、板材を丸く曲げてそこに球面部を有する棒材を溶接して回転子を形成してもよく、板材から回転子を打ち抜いてもよい。
【００３７】
また、乾電池６０を使わず、筒状の構造材の上に支持電極を取り付け、その構造体の下に電極兼用磁石を敷き、支持電極と電極兼用磁石との間に電圧を加えてもよい。また、上述したネオジウム磁石に代えて電磁石を電極兼用磁石として用いてよいことは言うまでもない。
【００３８】
また、支持電極４０の球面支持部は、上述したようなくぼみ部４４に限定されない。たとえば、球面支持部は、先端に「ころ」が設けられており、かつ、円筒部４６から上に突出した、３本以上の部材を有していてもよい。この場合、球面部３１上の３点が、そのころによって支えられる。
【００３９】
また、回転子３０の形成方法を説明書２０に記述することに代え、光ディスクのような情報記録媒体を用いてもよい。
【符号の説明】
【００４０】
１０  シンプルモータ
２０  説明書
３０，１３０，２３０    回転子
３１  球面部
３２  球の中心
３４  接触時支点
３５  回転時支点
３６  重心
３７，１３７，２３７    電流通路部
３８，１３８，２３８    接触部
３９，１３９，２３９    おもり部
４０  支持電極
４４  くぼみ部
４６  円筒部
５２  電極兼用磁石
６０  乾電池
６２  正極
６６  筐体
７０  支持・吊り下げ装置装置
７２  支持台
７４  フック
７６  糸
７８  ナット
９０  軸部領域
１１０      線材折曲げ部分
１３１      支点球
１７２      くぼみ
２３１      支点球
【図１】
0005593044.tif 000002
【図２】
0005593044.tif 000003
【図３】
0005593044.tif 000004
【図４】
0005593044.tif 000005
【図５】
0005593044.tif 000006
【図６】
0005593044.tif 000007